(57)【要約】  【課題】  従来と比較して画像表示領域全体の光量を均一化することができる液晶表示装置を備えた遊技機を提供すること。  【解決手段】  遊技機は、液晶表示装置１０と、図柄列が描かれたベルト式リール２１、２２、２３を有して図柄列の循環的な可変表示及び停止表示を行うベルト式図柄表示装置２０とを備え、液晶表示装置１０は、光の透過及び遮断を切り換える液晶パネル１１と、受けた光を液晶パネル１１側に反射する反射板１４とを有し、ベルト式図柄表示装置２０は、液晶パネル１１と、反射板１４との間にベルト式リール２１、２２、２３の一部２１ａ、２２ａ、２３ａが配置されたことを特徴とする。【選択図】  図５
2005081095.tif 000002
【特許請求の範囲】
【請求項１】
液晶表示装置と、図柄列が描かれたベルト式リールを有して前記図柄列の循環的な可変表示及び停止表示を行うベルト式図柄表示装置とを備え、
前記液晶表示装置は、光の透過及び遮断を切り換える液晶部と、受けた光を前記液晶部側に反射する反射部とを有し、
前記ベルト式図柄表示装置は、前記液晶部と、前記反射部との間に前記ベルト式リールの少なくとも一部が配置されたことを特徴とする遊技機。
【請求項２】
前記液晶表示装置は、前記液晶部及び前記反射部の間に配置されて光を前記液晶部側に導く導光部を有し、
前記ベルト式図柄表示装置は、前記反射部と、前記導光部との間に前記ベルト式リールの少なくとも一部が配置されたことを特徴とする請求項１に記載の遊技機。
【請求項３】
前記液晶表示装置は、前記液晶部及び前記反射部の間に配置されて光を前記液晶部側に導く導光部と、前記液晶部及び前記導光部の間に配置されて光を拡散して前記液晶部側に通過させる拡散部とを有し、
前記ベルト式図柄表示装置は、前記導光部と、前記拡散部との間に前記ベルト式リールの少なくとも一部が配置されたことを特徴とする請求項１に記載の遊技機。
【請求項４】
前記液晶表示装置は、前記液晶部及び前記反射部の間に配置されて光を拡散して前記液晶部側に通過させる拡散部を有し、
前記ベルト式図柄表示装置は、前記液晶部と、前記拡散部との間に前記ベルト式リールの少なくとも一部が配置されたことを特徴とする請求項１に記載の遊技機。
【発明の詳細な説明】
【技術分野】
【０００１】
本発明は、パチスロ機などの遊技機に関する。
【背景技術】
【０００２】
従来、図柄列の循環的な可変表示及び停止表示を行うリールと、リールの演出と連動した映像での演出を行う画像表示領域が形成された液晶表示装置とを備えた遊技機が知られている（例えば、特許文献１参照。）。
【０００３】
また、最近では、リールの前方にまで及ぶ大型の画像表示領域が形成された液晶表示装置を備えた遊技機も登場してきている。このような大型の画像表示領域が形成された液晶表示装置では、画像表示領域での演出表示を遊技者にとって見やすくするため、十分な明るさの光を前方に反射させる反射板を有している。そして、反射板には、遊技者が遊技機前方からリール上の図柄列を視認することができるようにするために、リールに対向する位置にリール視認用の開口が形成されている。
【特許文献１】特開２００１−２８６６０１号公報（第２０−２４頁、第６４−１０１図）
【発明の開示】
【発明が解決しようとする課題】
【０００４】
しかしながら、上述した最近の遊技機においては、リールに対向する位置に形成された開口部分では反射板が光を反射できないので、液晶表示装置の画像表示領域のうちリールに対向する領域の光量がリールに対向しない領域の光量よりも少なく、液晶表示装置の画像表示領域のうちリールに対向する領域とリールに対向しない領域とに跨って画像が表示されたときに画像に斑が生じていた。
【０００５】
そこで、本発明は、従来と比較して画像表示領域全体の光量を均一化することができる液晶表示装置を備えた遊技機を提供することを目的とする。
【課題を解決するための手段】
【０００６】
本発明の請求項１に係る遊技機（例えば、パチスロ機１）は、液晶表示装置（例えば、液晶表示装置１０）と、図柄列が描かれたベルト式リール（例えば、ベルト式リール２１、２２、２３）を有して前記図柄列の循環的な可変表示及び停止表示を行うベルト式図柄表示装置（例えば、ベルト式図柄表示装置２０）とを備え、前記液晶表示装置は、光の透過及び遮断を切り換える液晶部（例えば、液晶パネル１１）と、受けた光を前記液晶部側に反射する反射部（例えば、反射板１４）とを有し、前記ベルト式図柄表示装置は、前記液晶部と、前記反射部との間に前記ベルト式リールの少なくとも一部（例えば、一部２１ａ、２２ａ、２３ａ）が配置されたことを特徴とする。
【０００７】
また、本発明の請求項２に係る遊技機は、本発明の請求項１に係る遊技機において、前記液晶表示装置は、前記液晶部及び前記反射部の間に配置されて光を前記液晶部側に導く導光部（例えば、導光板１３）を有し、前記ベルト式図柄表示装置は、前記反射部と、前記導光部との間に前記ベルト式リールの少なくとも一部が配置されたことを特徴とする。
【０００８】
また、本発明の請求項３に係る遊技機は、本発明の請求項１に係る遊技機において、前記液晶表示装置は、前記液晶部及び前記反射部の間に配置されて光を前記液晶部側に導く導光部と、前記液晶部及び前記導光部の間に配置されて光を拡散して前記液晶部側に通過させる拡散部（例えば、拡散シート１５）とを有し、前記ベルト式図柄表示装置は、前記導光部と、前記拡散部との間に前記ベルト式リールの少なくとも一部が配置されたことを特徴とする。
【０００９】
また、本発明の請求項４に係る遊技機は、本発明の請求項１に係る遊技機において、前記液晶表示装置は、前記液晶部及び前記反射部の間に配置されて光を拡散して前記液晶部側に通過させる拡散部を有し、前記ベルト式図柄表示装置は、前記液晶部と、前記拡散部との間に前記ベルト式リールの少なくとも一部が配置されたことを特徴とする。
【発明の効果】
【００１０】
本発明によれば、従来と比較して画像表示領域全体の光量を均一化することができる液晶表示装置を備えた遊技機を提供することができる。
【発明を実施するための最良の形態】
【００１１】
以下、本発明の実施の形態について、図面を用いて説明する。
【００１２】
（第１の実施の形態）
まず、第１の実施の形態に係る遊技機としてのパチスロ機の構成について説明する。
【００１３】
図１に示すように、本実施の形態に係るパチスロ機１は、映像での演出を行う１５インチの画像表示領域１０ａが形成された液晶表示装置１０と、図柄列が描かれた３つのベルト式リール２１、２２、２３（図２参照。）を有して図柄列の循環的な可変表示及び停止表示を行うベルト式図柄表示装置２０（図５参照。）とを備えている。
【００１４】
ここで、図３に示すように、液晶表示装置１０は、画像表示領域１０ａ以外の部分に非画像表示領域１０ｂが形成されており、ベルト式リール２１、２２、２３の図柄を遊技者に視認させるためにベルト式リール２１、２２、２３に対向して配置された３つの図柄表示領域１０ｃと、図柄表示領域１０ｃ以外の非図柄表示領域１０ｄとが画像表示領域１０ａ内に形成されている。また、液晶表示装置１０は、図４に示すように、画像表示領域１０ａ（図３参照。）に対応する位置に配置されて光の透過及び遮断を切り換える液晶部としての液晶パネル１１と、光源である冷陰極管１２ａ、１２ｂと、冷陰極管１２ａ及び冷陰極管１２ｂの間に配置されて冷陰極管１２ａ、１２ｂからの光を液晶パネル１１側に導く導光部としての導光板１３と、導光板１３に対して液晶パネル１１側とは反対側に配置されて導光板１３から受けた光を液晶パネル１１側に反射する反射部としての反射板１４と、液晶パネル１１及び導光板１３の間に配置されて導光板１３からの光を拡散して液晶パネル１１側に通過させる拡散部としての拡散シート１５と、液晶パネル１１に対して拡散シート１５側とは反対側に配置されて画像表示領域１０ａに対応する部分が透明であって非画像表示領域１０ｂ（図３参照。）に対応する部分に絵が表示された表示板１６と、表示板１６に対して液晶パネル１１側とは反対側に配置されて表示板１６、液晶パネル１１、拡散シート１５、導光板１３、反射板１４を外部からの衝撃などから保護する透明な保護ガラス１７とを有している。なお、液晶パネル１１は、薄膜トランジスタ層が形成されたガラス板などの透明な基板と、これに対向する透明な基板との間隙部に液晶が封入されて形成されている。この液晶パネル１１の表示モードは、液晶を駆動していない状態で白表示となる、所謂ノーマリーホワイトに設定されている。また、導光板１３は、３つの透明な透明領域１３ａが図柄表示領域１０ｃ（図３参照。）に対応する表面に形成されており、冷陰極管１２ａ、冷陰極管１２ｂ又は反射板１４からの光を拡散して液晶パネル１１側に通過させる拡散領域１３ｂが非図柄表示領域１０ｄ（図３参照。）に対応する表面に形成されている。また、拡散シート１５は、光を拡散せずに通すための３つの開口１５ａが図柄表示領域１０ｃに対応する位置に形成されている。
【００１５】
また、図５及び図６に示すように、ベルト式図柄表示装置２０は、上述したベルト式リール２１、２２、２３と、ベルト式リール２１、２２、２３をそれぞれ駆動する駆動プーリ２４、２５、２６と、ベルト式リール２１、２２、２３の駆動に伴なってそれぞれ従動する従動プーリ２７、２８、２９とを有している。なお、ベルト式リール２１、２２、２３は、透光性を有しており、図柄の背景部分が白色である。また、ベルト式リール２１、２２、２３は、液晶パネル１１と反射板１４との間のうち導光板１３と反射板１４との間にその一部２１ａ、２２ａ、２３ａが配置されている。
【００１６】
なお、本実施の形態において、一部とは、駆動プーリ２４、２５、２６と従動プーリ２７、２８、２９に巻回されるベルト式リール２１、２２、２３のうち、遊技者側（図６中、左側）の一部を意味する。
【００１７】
次に、パチスロ機１の動作について説明する。
【００１８】
液晶パネル１１のうち図柄表示領域１０ｃに対応する部分は、冷陰極管１２ａ、１２ｂから発せられて導光板１３の透明領域１３ａ及び拡散シート１５の開口１５ａを介して到達した光と、冷陰極管１２ａ、１２ｂから発せられて導光板１３及びベルト式リール２１、２２、２３の一部２１ａ、２２ａ、２３ａを介して反射板１４に到達した後、反射板１４に反射されてベルト式リール２１、２２、２３の一部２１ａ、２２ａ、２３ａ、導光板１３の透明領域１３ａ及び拡散シート１５の開口１５ａを介して到達した光とによって、拡散シート１５側から照らされる。
【００１９】
また、液晶パネル１１のうち非図柄表示領域１０ｄに対応しベルト式リール２１、２２、２３に対向しない部分は、冷陰極管１２ａ、１２ｂから発せられて導光板１３の拡散領域１３ｂ及び拡散シート１５を介して到達した光と、冷陰極管１２ａ、１２ｂから発せられて導光板１３を介して反射板１４に到達した後、反射板１４に反射されて導光板１３の拡散領域１３ｂ及び拡散シート１５を介して到達した光とによって、拡散シート１５側から照らされる。
【００２０】
また、液晶パネル１１のうち非図柄表示領域１０ｄに対応しベルト式リール２１、２２、２３に対向する部分は、冷陰極管１２ａ、１２ｂから発せられて導光板１３の拡散領域１３ｂ及び拡散シート１５を介して到達した光と、冷陰極管１２ａ、１２ｂから発せられて導光板１３及びベルト式リール２１、２２、２３の一部２１ａ、２２ａ、２３ａを介して反射板１４に到達した後、反射板１４に反射されてベルト式リール２１、２２、２３の一部２１ａ、２２ａ、２３ａ、導光板１３の拡散領域１３ｂ及び拡散シート１５を介して到達した光とによって、拡散シート１５側から照らされる。
【００２１】
ここで、液晶表示装置１０は、反射板１４に開口が形成されていないので、反射板１４に対して導光板１３側とは反対側に導光板１３からの光が漏れることはない。
【００２２】
したがって、液晶表示装置１０は、液晶パネル１１のうち図柄表示領域１０ｃに対応する部分が拡散シート１５側から照らされる光の強さと、液晶パネル１１のうち非図柄表示領域１０ｄに対応する部分が拡散シート１５側から照らされる光の強さとに従来と比較して差異が少なく、従来と比較して画像表示領域１０ａ全体の光量を均一化することができる。
【００２３】
ここで、パチスロ機１は、上述したように液晶パネル１１に拡散シート１５側から光が照らされるので、例えば、液晶表示装置１０の液晶パネル１１のうち図柄表示領域１０ｃ及び非図柄表示領域１０ｄに対応する部分に所定の画像に応じた電圧を加えることによって、液晶表示装置１０の画像表示領域１０ａのうち図柄表示領域１０ｃと非図柄表示領域１０ｄとに跨って図７に示すように所定の画像を表示する。なお、パチスロ機１は、上述したように従来と比較して画像表示領域１０ａ全体の光量を均一化することができるので、液晶表示装置１０の画像表示領域１０ａのうち図柄表示領域１０ｃと非図柄表示領域１０ｄとに跨って表示する画像に生じる斑を従来と比較して抑制することができる。例えば、図７に示す「大当り」という画像では、図柄表示領域１０ｃ内の部分１０ｅと、非図柄表示領域１０ｄ内の部分１０ｆとで光量の差を抑制することができる。また、パチスロ機１は、液晶表示装置１０の画像表示領域１０ａのうち図柄表示領域１０ｃと非図柄表示領域１０ｄとに跨って画像を表示するとき、図柄表示領域１０ｃに表示する画像によってベルト式リール２１、２２、２３の図柄を全く遊技者に視認させないこともできるし、図柄表示領域１０ｃに表示する画像を透かしてベルト式リール２１、２２、２３の図柄を遊技者に視認させることもできる。
【００２４】
また、パチスロ機１は、上述したように液晶パネル１１がノーマリーホワイトであるので、図柄表示領域１０ｃに対応する部分に電圧を加えないことによって、導光板１３側からの光を図柄表示領域１０ｃに対応する部分で表示板１６側に通す。また、ベルト式リール２１、２２、２３の一部２１ａ、２２ａ、２３ａは、上述したように、冷陰極管１２ａ、１２ｂから発せられて導光板１３によって導かれた光によって液晶パネル１１側から照らされるとともに、冷陰極管１２ａ、１２ｂから発せられて導光板１３及びベルト式リール２１、２２、２３の一部２１ａ、２２ａ、２３ａを介して反射板１４に到達した後、反射板１４に反射された光によって反射板１４側から照らされる。したがって、パチスロ機１は、液晶パネル１１のうち図柄表示領域１０ｃに対応する部分に電圧を加えないことによって、導光板１３の透明領域１３ａと、拡散シート１５の開口１５ａと、液晶パネル１１、表示板１６及び保護ガラス１７のうち図柄表示領域１０ｃに対応する部分とを介して、図３に示すようにベルト式リール２１、２２、２３の図柄を遊技者に視認させることができる。
【００２５】
なお、パチスロ機１は、図柄表示領域１０ｃを介してベルト式リール２１、２２、２３の図柄を遊技者に視認させるとき、遊技者によるスタートレバー３１（図１参照。）の操作に応じて駆動プーリ２４、２５、２６をそれぞれ矢印２４ａ、２５ａ、２６ａ（図５及び図６参照。）で示す方向に回転させて、ベルト式リール２１、２２、２３の一部２１ａ、２２ａ、２３ａを矢印２１ｂ、２２ｂ、２３ｂ（図５及び図６参照。）で示す方向に移動させることによって、図柄表示領域１０ｃを介して遊技者に視認されるベルト式リール２１、２２、２３の図柄を矢印２１ｂ、２２ｂ、２３ｂで示す方向に可変表示することができる。また、パチスロ機１は、図柄表示領域１０ｃを介してベルト式リール２１、２２、２３の図柄を遊技者に視認させるとき、遊技者による停止ボタン３２（図１参照。）の操作などに応じて駆動プーリ２４、２５、２６の回転を停止させて、ベルト式リール２１、２２、２３の一部２１ａ、２２ａ、２３ａの移動を停止させることによって、図柄表示領域１０ｃを介して遊技者に視認されるベルト式リール２１、２２、２３の図柄を停止表示することができる。
【００２６】
また、パチスロ機１は、上述したように液晶パネル１１に拡散シート１５側から光が照らされるので、液晶表示装置１０の液晶パネル１１のうち非図柄表示領域１０ｄに対応する部分に所定の画像に応じた電圧を加えることによって、液晶表示装置１０の非図柄表示領域１０ｄに所定の画像を表示し、非図柄表示領域１０ｄに対向して位置するベルト式リール２１、２２、２３を非図柄表示領域１０ｄに表示する画像によって遊技者に全く視認させない。
【００２７】
なお、パチスロ機１は、ベルト式リール２１、２２、２３の一部２１ａ、２２ａ、２３ａが液晶パネル１１側から照らされるとともに反射板１４側からも照らされるので、ベルト式リール２１、２２、２３の一部２１ａ、２２ａ、２３ａが反射板１４側のみから照らされるときと比較して、ベルト式リール２１、２２、２３の一部２１ａ、２２ａ、２３ａに描かれた図柄を明瞭に表示することができる。
【００２８】
また、ベルト式リール２１、２２、２３は、光を通さずに反射する性質を有していても良い。ベルト式リール２１、２２、２３が光を通さずに反射する性質を有しているとき、冷陰極管１２ａ、１２ｂから発せられた光の一部は、導光板１３を介してベルト式リール２１、２２、２３の一部２１ａ、２２ａ、２３ａに到達した後、ベルト式リール２１、２２、２３の一部２１ａ、２２ａ、２３ａに反射されて導光板１３の透明領域１３ａ及び拡散シート１５の開口１５ａを介して、液晶パネル１１のうち図柄表示領域１０ｃに対応する部分を照らす。また、冷陰極管１２ａ、１２ｂから発せられた光の他の一部は、導光板１３を介してベルト式リール２１、２２、２３の一部２１ａ、２２ａ、２３ａに到達した後、ベルト式リール２１、２２、２３の一部２１ａ、２２ａ、２３ａに反射されて導光板１３の拡散領域１３ｂ及び拡散シート１５を介して、液晶パネル１１のうち非図柄表示領域１０ｄに対応する部分を照らす。
【００２９】
（第２の実施の形態）
まず、第２の実施の形態に係る遊技機としてのパチスロ機の構成について説明する。なお、本実施の形態に係るパチスロ機の構成のうち、第１の実施の形態に係るパチスロ機１（図１参照。）の構成と同様な構成については、パチスロ機１の構成と同一の符号を付して詳細な説明を省略する。
【００３０】
図８及び図９に示すように、本実施の形態に係るパチスロ機の構成は、パチスロ機１（図１参照。）において、液晶パネル１１と反射板１４との間のうち拡散シート１５と導光板１３との間にベルト式リール２１、２２、２３の一部２１ａ、２２ａ、２３ａが配置された構成と同様である。
【００３１】
次に、本実施の形態に係るパチスロ機の動作について説明する。
【００３２】
液晶パネル１１のうち図柄表示領域１０ｃに対応する部分は、冷陰極管１２ａ、１２ｂから発せられて導光板１３、ベルト式リール２１、２２、２３の一部２１ａ、２２ａ、２３ａ及び拡散シート１５の開口１５ａを介して到達した光と、冷陰極管１２ａ、１２ｂから発せられて導光板１３を介して反射板１４に到達した後、反射板１４に反射されて導光板１３、ベルト式リール２１、２２、２３の一部２１ａ、２２ａ、２３ａ及び拡散シート１５の開口１５ａを介して到達した光とによって、拡散シート１５側から照らされる。
【００３３】
また、液晶パネル１１のうち非図柄表示領域１０ｄに対応しベルト式リール２１、２２、２３に対向しない部分は、冷陰極管１２ａ、１２ｂから発せられて導光板１３及び拡散シート１５を介して到達した光と、冷陰極管１２ａ、１２ｂから発せられて導光板１３を介して反射板１４に到達した後、反射板１４に反射されて導光板１３及び拡散シート１５を介して到達した光とによって、拡散シート１５側から照らされる。
【００３４】
また、液晶パネル１１のうち非図柄表示領域１０ｄに対応しベルト式リール２１、２２、２３に対向する部分は、冷陰極管１２ａ、１２ｂから発せられて導光板１３、ベルト式リール２１、２２、２３の一部２１ａ、２２ａ、２３ａ及び拡散シート１５を介して到達した光と、冷陰極管１２ａ、１２ｂから発せられて導光板１３を介して反射板１４に到達した後、反射板１４に反射されて導光板１３、ベルト式リール２１、２２、２３の一部２１ａ、２２ａ、２３ａ及び拡散シート１５を介して到達した光とによって、拡散シート１５側から照らされる。
【００３５】
したがって、本実施の形態に係るパチスロ機は、第１の実施の形態に係るパチスロ機１（図１参照。）と同様な動作を行うことができ、パチスロ機１と同様な効果を得ることができる。
【００３６】
なお、本実施の形態に係るパチスロ機は、ベルト式リール２１、２２、２３の一部２１ａ、２２ａ、２３ａが導光板１３に対して液晶パネル１１側に配置されているので、導光板１３の表面に透明領域１３ａ（図４参照。）が形成されている必要がなく、導光板１３の表面全体に拡散領域１３ｂ（図４参照。）が形成されていても良い。したがって、本実施の形態に係るパチスロ機は、導光板１３の表面全体に拡散領域１３ｂが形成されているとき、導光板１３の表面に透明領域１３ａと拡散領域１３ｂとが形成されている場合と比較して、容易に製造されることができる。
【００３７】
（第３の実施の形態）
まず、第３の実施の形態に係る遊技機としてのパチスロ機の構成について説明する。なお、本実施の形態に係るパチスロ機の構成のうち、第１の実施の形態に係るパチスロ機１（図１参照。）の構成と同様な構成については、パチスロ機１の構成と同一の符号を付して詳細な説明を省略する。
【００３８】
図１０及び図１１に示すように、本実施の形態に係るパチスロ機の構成は、パチスロ機１（図１参照。）において、液晶パネル１１と反射板１４との間のうち液晶パネル１１と拡散シート１５との間にベルト式リール２１、２２、２３の一部２１ａ、２２ａ、２３ａが配置された構成と同様である。
【００３９】
次に、本実施の形態に係るパチスロ機の動作について説明する。
【００４０】
液晶パネル１１のうち図柄表示領域１０ｃに対応する部分は、冷陰極管１２ａ、１２ｂから発せられて導光板１３、拡散シート１５及びベルト式リール２１、２２、２３の一部２１ａ、２２ａ、２３ａを介して到達した光と、冷陰極管１２ａ、１２ｂから発せられて導光板１３を介して反射板１４に到達した後、反射板１４に反射されて導光板１３、拡散シート１５及びベルト式リール２１、２２、２３の一部２１ａ、２２ａ、２３ａを介して到達した光とによって、拡散シート１５側から照らされる。
【００４１】
また、液晶パネル１１のうち非図柄表示領域１０ｄに対応しベルト式リール２１、２２、２３に対向しない部分は、冷陰極管１２ａ、１２ｂから発せられて導光板１３及び拡散シート１５を介して到達した光と、冷陰極管１２ａ、１２ｂから発せられて導光板１３を介して反射板１４に到達した後、反射板１４に反射されて導光板１３及び拡散シート１５を介して到達した光とによって、拡散シート１５側から照らされる。
【００４２】
また、液晶パネル１１のうち非図柄表示領域１０ｄに対応しベルト式リール２１、２２、２３に対向する部分は、冷陰極管１２ａ、１２ｂから発せられて導光板１３、拡散シート１５及びベルト式リール２１、２２、２３の一部２１ａ、２２ａ、２３ａを介して到達した光と、冷陰極管１２ａ、１２ｂから発せられて導光板１３を介して反射板１４に到達した後、反射板１４に反射されて導光板１３、拡散シート１５及びベルト式リール２１、２２、２３の一部２１ａ、２２ａ、２３ａを介して到達した光とによって、拡散シート１５側から照らされる。
【００４３】
したがって、本実施の形態に係るパチスロ機は、第１の実施の形態に係るパチスロ機１（図１参照。）と同様な動作を行うことができ、パチスロ機１と同様な効果を得ることができる。
【００４４】
なお、本実施の形態に係るパチスロ機は、ベルト式リール２１、２２、２３の一部２１ａ、２２ａ、２３ａが導光板１３に対して液晶パネル１１側に配置されているので、導光板１３の表面に透明領域１３ａ（図４参照。）が形成されている必要がなく、導光板１３の表面全体に拡散領域１３ｂ（図４参照。）が形成されていても良い。したがって、本実施の形態に係るパチスロ機は、導光板１３の表面全体に拡散領域１３ｂが形成されているとき、導光板１３の表面に透明領域１３ａと拡散領域１３ｂとが形成されている場合と比較して、容易に製造されることができる。
【００４５】
また、本実施の形態に係るパチスロ機は、ベルト式リール２１、２２、２３の一部２１ａ、２２ａ、２３ａが拡散シート１５に対して液晶パネル１１側に配置されているので、拡散シート１５に開口１５ａ（図４参照。）が形成されている必要がない。したがって、本実施の形態に係るパチスロ機は、拡散シート１５に開口１５ａが形成されていないとき、拡散シート１５に開口１５ａが形成されている場合と比較して、容易に製造されることができる。
【００４６】
なお、以上の各実施の形態においては、本発明の遊技機の具体例として、パチスロ機について説明したが、本発明は、停止ボタンを具備せずに遊技機によって一切の停止制御がなされるスロットマシンや、パチンコ機など、パチスロ機以外の遊技機にも適用することができる。
【００４７】
以上に説明したように、本発明の請求項１に係る遊技機は、液晶表示装置と、図柄列が描かれたベルト式リールを有して前記図柄列の循環的な可変表示及び停止表示を行うベルト式図柄表示装置とを備え、前記液晶表示装置は、光の透過及び遮断を切り換える液晶部と、受けた光を前記液晶部側に反射する反射部とを有し、前記ベルト式図柄表示装置は、前記液晶部と、前記反射部との間に前記ベルト式リールの少なくとも一部が配置されたことを特徴とするので、従来と比較して反射部の後方に光を逃し難く、従来と比較して画像表示領域全体の光量を均一化することができる液晶表示装置を備えることができる。したがって、本発明の請求項１に係る遊技機は、液晶表示装置の画像表示領域のうちベルト式リールの図柄を表示するための図柄表示領域と図柄表示領域以外の非図柄表示領域とに跨って表示する画像に生じる斑を、従来と比較して抑制することができる場合がある。
【００４８】
また、本発明の請求項２に係る遊技機は、本発明の請求項１に係る遊技機において、前記液晶表示装置は、前記液晶部及び前記反射部の間に配置されて光を前記液晶部側に導く導光部を有し、前記ベルト式図柄表示装置は、前記反射部と、前記導光部との間に前記ベルト式リールの少なくとも一部が配置されたことを特徴とし、反射部と導光部との間に配置されたベルト式リールの一部が液晶部側から導光部に照らされることができる場合があるので、反射部と導光部との間に配置されたベルト式リールの一部が反射部側のみから照らされるときと比較して、ベルト式リールに描かれた図柄を明瞭に表示することができる場合がある。
【００４９】
また、本発明の請求項３に係る遊技機は、本発明の請求項１に係る遊技機において、前記液晶表示装置は、前記液晶部及び前記反射部の間に配置されて光を前記液晶部側に導く導光部と、前記液晶部及び前記導光部の間に配置されて光を拡散して前記液晶部側に通過させる拡散部とを有し、前記ベルト式図柄表示装置は、前記導光部と、前記拡散部との間に前記ベルト式リールの少なくとも一部が配置されたことを特徴とし、光を拡散する拡散領域が導光部の表面全体に形成されることができる場合があるので、導光部の表面に透明領域と拡散領域とが形成されている場合と比較して、容易に製造されることができる場合がある。
【００５０】
また、本発明の請求項４に係る遊技機は、本発明の請求項１に係る遊技機において、前記液晶表示装置は、前記液晶部及び前記反射部の間に配置されて光を拡散して前記液晶部側に通過させる拡散部を有し、前記ベルト式図柄表示装置は、前記液晶部と、前記拡散部との間に前記ベルト式リールの少なくとも一部が配置されたことを特徴とするので、光を拡散せずに通すための開口が拡散部に形成される必要がない場合があるので、光を拡散せずに通すための開口が拡散部に形成されている場合と比較して、容易に製造されることができる場合がある。
【図面の簡単な説明】
【００５１】
【図１】本発明の第１の実施の形態に係るパチスロ機の斜視図である。
【図２】図１に示すパチスロ機のベルト式リールの展開図である。
【図３】図１に示すパチスロ機の液晶表示装置の正面図である。
【図４】図１に示すパチスロ機の液晶表示装置の分解斜視図である。
【図５】図１に示すパチスロ機の液晶表示装置及びベルト式図柄表示装置の分解斜視図である。
【図６】図１に示すパチスロ機の液晶表示装置及びベルト式図柄表示装置の側面図である。
【図７】図３に示す状態とは異なる状態での図１に示すパチスロ機の液晶表示装置の正面図である。
【図８】本発明の第２の実施の形態に係るパチスロ機の液晶表示装置及びベルト式図柄表示装置の分解斜視図である。
【図９】図８に示すパチスロ機の液晶表示装置及びベルト式図柄表示装置の側面図である。
【図１０】本発明の第３の実施の形態に係るパチスロ機の液晶表示装置及びベルト式図柄表示装置の分解斜視図である。
【図１１】図１０に示すパチスロ機の液晶表示装置及びベルト式図柄表示装置の側面図である。
【符号の説明】
【００５２】
１  パチスロ機（遊技機）
１０  液晶表示装置
１１  液晶パネル（液晶部）
１３  導光板（導光部）
１４  反射板（反射部）
１５  拡散シート（拡散部）
２０  ベルト式図柄表示装置
２１、２２、２３  ベルト式リール
２１ａ、２２ａ、２３ａ  ベルト式リールの一部
【図１】
2005081095.tif 000003
【図２】
2005081095.tif 000004
【図３】
2005081095.tif 000005
【図４】
2005081095.tif 000006
【図５】
2005081095.tif 000007
【図６】
2005081095.tif 000008
【図７】
2005081095.tif 000009
【図８】
2005081095.tif 000010
【図９】
2005081095.tif 000011
【図１０】
2005081095.tif 000012
【図１１】
2005081095.tif 000013